(57)【要約】      （修正有）【課題】収納物の大きさ、高さに合わせ容器を嵩上げできるスタッキングおよびネステイング可能な容器を開発する。【解決手段】スタッキングおよびネスティングが可能な容器Ａの上縁フランジ１のポケット部４ａ，５ａ，４ｂ，５ｂの近くに夫々位置決め孔１３，１５および係合孔１４，１６を開設し、内周縁に容器Ａのポケット部４ａ，５ａ，４ｂ，５ｂ，９ａ，１０ａ，９ｂ，１０ｂに合致する切込部５４ａ，５４ｂ，５５ａ，５５ｂ，５９ａ，５９ｂ，６０ａ，６０ｂを形成したフレームＢを形成し、該フレームＢの下部フランジ３２の下面に前記位置決め孔に嵌合するテーパ軸状ガイド突起３３，３５および前記係合孔に係合する鉤状突起３４，３６を形成し、該フレームＢの上部フランジ３１には前記位置決め孔１３，１５および係合孔１４，１６と同位置同形状に位置決め孔４３，４５および係合孔４４，４６を開設してなる。【選択図】図７
2006001563.tif 000002
【特許請求の範囲】
【請求項１】
相対する側壁の少なくとも２個所を外方向に膨出させることによりポケット部を形成し、下段の容器に対して上段の容器を水平面内で１８０度回転し、或いは回転することなく乗せることにより、下段の容器の上縁フランジ上に上段の容器が積み上げられ、或いは下段の容器内に上段の容器の略下半部が挿入された状態で積み重ねられる容器において、上縁フランジの両ポケット部間で両ポケット部近くに夫々位置決め孔および係合孔を開設するとともに、内周縁に前記ポケット部に合致する切込部を形成することにより前記ポケット部を封鎖することなく該容器の上縁フランジ上に装着されるフレームを形成し、該フレームの各辺は上部フランジと下部フランジとが横断面コ字形なるように連接されたものであり、下部フランジの下面に前記位置決め孔に嵌合するテーパ軸状ガイド突起および前記係合孔に係合する鉤状突起を形成してなることを特徴としたスタッキングおよびネスティングが可能な容器とその嵩上げ用フレーム。
【請求項２】
フレームの上部フランジには前記容器の上縁フランジに開設された位置決め孔および係合孔と同位置同形状に位置決め孔および係合孔を開設した請求項１に記載のスタッキングおよびネスティングが可能な容器とその嵩上げ用フレーム。
【請求項３】
フレームの各辺の中央部を下方に開口するコ字形の横断面形状に形成した請求項１または２に記載のスタッキングおよびネスティングが可能な容器とその嵩上げ用フレーム。
【発明の詳細な説明】
【技術分野】
【０００１】
本発明は、スタッキングおよびネスティングが可能なプラスチック製容器の上縁に必要に応じて装着することにより、収納物の大きさ、高さに合わせて嵩上げすることのできるスタッキングおよびネスティングが可能な容器とその嵩上げ用フレームの構造に関するものである。
【背景技術】
【０００２】
下記特許文献１は、既存の容器の上縁に収納物の大きさ、高さに応じてフレームを着脱することにより、該容器の収容能力が調整され、容器の利用効率を向上させる容器の嵩上げフレームを開示するものである。
【特許文献１】実用新案登録番号第２５２１８６５号公報
【０００３】
一方、側壁の一部を外方向に膨出させることによりポケット部が形成されたプラスチック製容器であって、下段の容器に対して上段の容器を水平面内で１８０度回転し、或いは回転することなく乗せることにより、容器を多段に積み上げ（スタッキング）られ、或いは下段の容器内に上段の容器の略下半部が挿入された状態で積み重ね（ネスティング）られ非使用時に減容できる物流用容器は周知のとおりである。
【発明の開示】
【発明が解決しようとする課題】
【０００４】
ところで、上記のようにスタッキングおよびネスティングが可能なプラスチック製容器に上記従来の嵩上げフレームを装着すると、ポケット部が該嵩上げフレームによって封鎖されるためにネスティングができなくなるという問題がある。
また、ポケット部が封鎖されないように嵩上げフレームに切込部を形成することが考えられたが、そうした場合、該フレームの強度が弱くなり、プラスチック成形するものであることから特に変形し易く、容器との重ね合わせがうまくできなくなるという問題がある。
また、スタッキング作業は通常、下段の容器の上に上段の容器を乗せた後、上段の容器を水平にスライドさせることで真直に積み上げられるようにするものであるが、嵩上げフレームを装着した状態でスタッキング作業をすると、スライド時に嵩上げフレームに大きな横向荷重が掛かることから該嵩上げフレームが外方にずれたり外れるおそれがあった。
本発明はこのような問題点を解消し得るスタッキングおよびネスティングが可能な容器とその嵩上げ用フレームを提供しようとするものである。
【課題を解決するための手段】
【０００５】
そのために請求項１に記載の発明は、相対する側壁の少なくとも２個所を外方向に膨出させることによりポケット部を形成し、下段の容器に対して上段の容器を水平面内で１８０度回転し、或いは回転することなく乗せることにより、下段の容器の上縁フランジ上に上段の容器が積み上げられ、或いは下段の容器内に上段の容器の略下半部が挿入された状態で積み重ねられる容器において、上縁フランジの両ポケット部間で両ポケット部近くに夫々位置決め孔および係合孔を開設するとともに、内周縁に前記ポケット部に合致する切込部を形成することにより前記ポケット部を封鎖することなく該容器の上縁フランジ上に重ねられるフレームを形成し、該フレームの各辺は上部フランジと下部フランジとが横断面コ字形なるように連接されたものであり、下部フランジの下面に前記位置決め孔に嵌合するテーパ軸状ガイド突起および前記係合孔に係合する鉤状突起を形成してなることを特徴とする。
このため、多少変形したフレームであっても、ずれたり外れるおそれなく容器の上縁フランジ上に確実に装着される。
【０００６】
また請求項２に記載の発明は、フレームの上部フランジには前記容器の上縁フランジに開設された位置決め孔および係合孔と同位置同形状に位置決め孔および係合孔を開設したことを特徴とする。
このため、必要に応じて同形のフレームを重ねて装着することができ、収納物の大きさ、高さに合わせた嵩上げができる。
【０００７】
また請求項３に記載の発明は、上記嵩上げ用フレームにおける各辺の中央部を下方に開口するコ字形の横断面形状に形成したことを特徴とする。
このため、嵩上げ用フレームに作業者の手が掛けられ持ち上げられるおそれがなくなり、そのためにフレームが外れ容器が脱落する事故を起こすおそれがない。
【発明の効果】
【０００８】
この嵩上げ用フレームを装着することにより、スタッキングおよびネスティングが可能であるという容器本来の機能を損なうことがない。従って、この嵩上げ用フレームを装着すれば、スタッキングおよびネスティングが可能な容器においても収納物の大きさ、高さに合わせた嵩上げが可能となる。このため、容器の利用効率，用途範囲を高められる。
【実施例１】
【０００９】
次に本発明の実施例を図面に従い説明する。図１は本発明に係るプラスチック製容器の斜視図である。該容器Ａは、上端開口縁の全周に上縁フランジ１が一体に形成され、該上縁フランジの下側に補強フランジ２が一体に形成され、相対する長側壁３ａ，３ｂにその一部を外方向に膨出させることにより容器Ａの略半分の深さのポケット部４ａ，５ａ，４ｂ，５ｂがそれぞれ所定間隔を離して形成されている。そして該ポケット部４ａと点対称位置なるように長側壁３ｂの外側面に支脚６ｂが形成され、ポケット部５ａと点対称位置なるように長側壁３ｂの外側面に支脚７ｂが形成され、ポケット部４ｂと点対称位置なるように長側壁３ａの外側面に支脚７ａが形成され、ポケット部５ｂと点対称位置なるように長側壁３ａの外側面に支脚６ａが形成される。また、相対する短側壁８ａ，８ｂにその一部を外方向に膨出させることにより容器Ａの略半分の深さのポケット部９ａ，１０ａ，９ｂ，１０ｂがそれぞれ所定間隔を離して形成され、該ポケット部９ａと点対称位置なるように短側壁８ｂの外側面に支脚１１ｂが形成され、ポケット部１０ａと点対称位置なるように短側壁８ｂの外側面に支脚１２ｂが形成され、ポケット部９ｂと点対称位置なるように短側壁８ａの外側面に支脚１１ａが形成され、ポケット部１０ｂと点対称位置なるように短側壁８ａの外側面に支脚１２ａが形成される。
【００１０】
このため、該容器Ａは、下段の容器に対して上段の容器を回転させることなく乗せることにより、下段の容器の上縁フランジ１上に上段の容器の支脚６ａ，６ｂ，７ａ，７ｂ，１１ａ，１１ｂ，１２ａ，１２ｂが乗って容器内容物に荷重を掛けることなく多段に積み上げられる（スタッキング）とともに、下段の容器に対して上段の容器を水平面内で１８０度回転させて乗せることにより、下段の容器の各ポケット部４ａ，５ａ，４ｂ，５ｂ，９ａ，１０ａ，９ｂ，１０ｂ内に点対称位置に形成された上段の容器の各支脚６ａ，６ｂ，７ａ，７ｂ，１１ａ，１１ｂ，１２ａ，１２ｂが収まることで、約半分の高さに積み重ねられ（ネスティング）減容する。
【００１１】
また、図２，図３に示したように、上縁フランジ１の両ポケット部４ａ，５ａ間で両ポケット部近くに円形の位置決め孔１３および長方形状の係合孔１４をそれぞれ貫通状に開設し、また、両ポケット部４ｂ，５ｂ間で両ポケット部近くにも同形の位置決め孔１５および長方形状の係合孔１６を貫通状に開設している。また、両ポケット部９ａ，１０ａ間にも円形の位置決め孔１７および切欠円形の係合孔１８が貫通状に開設される。また、両ポケット部９ｂ，１０ｂ間に円形の位置決め孔１９が貫通状に開設され、両ポケット部９ｂ，１０ｂの外側に切欠円形の係合孔２０が貫通状に開設される。
【００１２】
また、該容器Ａの四隅上縁に上縁フランジ１の内周を切り込むような形態で相隣る側壁を外方に突出させ段部２１ａ〜２１ｄを形成している。また、長側壁３ａ，３ｂに位置する上縁フランジ１の中央部は、図４に横断面形状を示したように、下方に開口するコ字形に形成され、その下側に容器を持ち上げるときに指が掛けられるようにしている。なお、２２は長側壁３ａの外面に周知のカード差し（内容物の品名、属性、コード番号、バーコード等が記載された伝票を挟むためのもの）を取り付けるために上縁フランジ１の中央部に貫通状に形成された取付孔である。また、ネスティング時に上段の容器のカード差しが下段の容器の内面に衝突しないようにするため長側壁３ｂの内面は図１に示されるように凹窪状に形成されている。
【００１３】
一方、図５はこの容器Ａの上縁フランジ１上に重ねられる嵩上げ用フレームＢの斜視図、図６は該フレームＢを裏返したときの斜視図である。該フレームＢは、容器Ａの上縁フランジ１と同形の長方形枠状で、その各辺は上部フランジ３１と下部フランジ３２とが横断面コ字形に連接された形態である。そして、該フレームＢの内周縁に前記容器Ａの各ポケット部４ａ，４ｂ，５ａ，５ｂ，９ａ，９ｂ，１０ａ，１０ｂに合致する切込部５４ａ，５４ｂ，５５ａ，５５ｂ，５９ａ，５９ｂ，６０ａ，６０ｂを形成することにより、該各ポケット部を封鎖することなく該容器の上縁フランジ上に重ね得るようにしている。また、下部フランジ３２の下面に前記位置決め孔１３，１５，１７，１９に嵌合するテーパ軸状ガイド突起３３，３５，３７，３９を形成するとともに、前記係合孔１４，１６，１８，２０に係合する鉤状突起３４，３６，３８，４０を形成している。
【００１４】
また、上部フランジ３１には前記容器の上縁フランジ１に開設された位置決め孔１３，１５，１７，１９および係合孔１４，１６，１８，２０と同位置同形状に位置決め孔４３，４５，４７，４９および係合孔４４，４６，４８，５０を開設してなる。なお、テーパ軸状ガイド突起３３，３５，３７，３９は鉤状突起３４，３６，３８，４０よりも長く下方に突出している。また、前記段部２１ａ〜２１ｄに合致する垂下片５１ａ〜５１ｄが該フレームＢの四隅内周縁に一体に形成されているとともに、該垂下片５１ａ〜５１ｄの真上の相当する該フレームＢの四隅内周縁に前記段部２１ａ〜２１ｄと同様に内周を切り込むような形態の段部６１ａ〜６２ｄが形成されている。なお、フレームＢの各辺の中央部を下方に開口するコ字形の横断面形状に形成されている。
【００１５】
このため、該フレームＢを上縁フランジ１上に装着するに際しては、該フレームＢを上縁フランジ１上に乗せて下方に押圧することにより、先ずテーパ軸状ガイド突起３３，３５，３７，３９が位置決め孔１３，１５，１７，１９に嵌入し、そのとき該ガイド突起のテーパ面が該位置決め孔の内周縁に摺接することにより、該フレームＢの各辺が成形精度が十分でなくて外方或いは内方に多少変形していたとしても、その摺接に伴う反力の水平方向成分により該フレームＢの変形が矯正されつつ下降するので、該フレームＢが変形していても鉤状突起３４，３６，３８，４０を係合孔１４，１６，１８，２０に確実に合致させ係合させることができる。なお、前記位置決め孔１３，１５，１７，１９の周囲は上記押圧力に耐えられるように図示したように他部分よりも肉厚に成形されている。
【００１６】
また、位置決め孔１３，１５および係合孔１４，１６は上縁フランジ１の両ポケット部４ａ，４ｂ，５ａ，５ｂ間で両ポケット部近くに開設されていることから、変形し易い該フレームＢの長辺が矯正され切込部５４ａ，５４ｂ，５５ａを横ズレすることなくポケット部４ａ，４ｂ，５ａ，５ｂに高精度で合致させることができるとともに、フレームを装着した状態でのスタッキング作業で上段の容器をスライドさせたときに該フレームに大きな横向荷重が掛かっても該フレームがずれたり外れるおそれがない。このため、フレームＢの成形上の変形による製品不良が発生する割合、或いは使用による変形，破損する割合を大幅に減少させることができる。
【００１７】
また、フレームＢの各辺の中央部を下方に開口するコ字形の横断面形状に形成したことから、図１０に示したように、該フレームを容器Ａに装着したとき該開口が該容器の上面によって閉鎖されることから、該フレームに運搬作業時に手が掛けられることなく、そのために該フレームが外れ容器が脱落するような事故を起こすおそれがない。
【００１８】
また、フレームＢの上部フランジ３１に位置決め孔４３，４５，４７，４９および係合孔４４，４６，４８，５０が開設されていることから、該フレームＢにさらに必要に応じて同形のフレームを重ねて装着することもでき、収納物の大きさ、高さに合わせた嵩上げをさらにすることができる。このため、この嵩上げ用フレームを必要数装着することにより容器の利用効率，用途範囲を一層高めることができる。
【００１９】
なお、本発明は上記実施形態に示した構成に限定されることなく、種々の変更が可能である。例えばガイド突起，位置決め孔，鉤状突起および係合孔は、容器Ａの上縁フランジおよびフレームＢの長辺のみに設けてもよく、またその数もこの実施例に限定されるものでない。
【産業上の利用可能性】
【００２０】
上記実施例は、上段の容器を１８０度回転させて乗せることによりネスティングする容器を説明したが、ポケット部の配置次第で上段の容器を１８０度回転させて乗せることによりスタッキングし、回転させることなく乗せることによりネスティングするタイプの周知の容器についても、本発明により上記実施例と同様に嵩上げ用フレームを装着できる構造とすることができる。
【図面の簡単な説明】
【００２１】
【図１】本発明の実施例であるスタッキングおよびネスティングが可能な容器の斜視図。
【図２】図１のＡ−Ａ線断面図。
【図３】図１のＢ−Ｂ線断面図。
【図４】図１のＣ−Ｃ線断面図。
【図５】本発明の実施例である嵩上げ用フレームの斜視図。
【図６】図５の嵩上げ用フレームを下面側から見た斜視図。
【図７】本発明の実施例である容器に嵩上げ用フレームを装着したときの斜視図。
【図８】図７のＤ−Ｄ線断面図。
【図９】図７のＥ−Ｅ線断面図。
【図１０】図７のＦ−Ｆ線断面図。
【符号の説明】
【００２２】
Ａ                        容器
Ｂ                        嵩上げ用フレーム
１                        上縁フランジ
３ａ，３ｂ                長側壁
４ａ，５ａ，４ｂ，５ｂ，９ａ，１０ａ，９ｂ，１０ｂ        ポケット部
６ａ，６ｂ，７ａ，７ｂ，１１ａ，１１ｂ，１２ａ，１２ｂ    支脚
８ａ，８ｂ                短側壁
１３，１５，１７，１９    位置決め孔
１４，１６，１８，２０    係合孔
３１                      上部フランジ
３２                      下部フランジ
５４ａ，５４ｂ，５５ａ，５５ｂ，５９ａ，５９ｂ，６０ａ，６０ｂ    切込部
３３，３５，３７，３９    テーパ軸状ガイド突起
３４，３６，３８，４０    鉤状突起
４３，４５，４７，４９    位置決め孔
４４，４６，４８，５０    係合孔
【図１】
2006001563.tif 000003
【図２】
2006001563.tif 000004
【図３】
2006001563.tif 000005
【図４】
2006001563.tif 000006
【図５】
2006001563.tif 000007
【図６】
2006001563.tif 000008
【図７】
2006001563.tif 000009
【図８】
2006001563.tif 000010
【図９】
2006001563.tif 000011
【図１０】
2006001563.tif 000012